(57)【特許請求の範囲】
【請求項１】
物体側より、凸レンズからなる第１レンズおよび第２レンズ、凹レンズからなる第３レンズおよび第４レンズ、凸レンズからなる第５レンズおよび第６レンズがこの順に配列されてなり、該第３レンズと該第４レンズの間に絞りを配された、６枚のレンズから構成されるガウス型レンズにおいて、以下の条件式（１）〜（７）を満足するように構成されていることを特徴とするカラー画像読み取り用ガウス型レンズ。
６５＜ν２，ν５                                    ………（１）
δθ２，δθ５＞０．００４                          ………（２）
１．５・Ｒ５＜（Ｒ１＋Ｒ３）／２＜２．６・Ｒ５      ………（３）
１．５・Ｒ６＜（Ｒ８＋Ｒ１０）／２＜３．０・Ｒ６    ………（４）
０．１０＜Ｄ５／ｆ＜０．２３                        ………（５）
０．８２＜Ｒ５／｜Ｒ６｜＜１．３                    ………（６）
０．００１２(mm-1)＜Σ（φｉ・δθｉ）＜０．００４５(mm-1)    ………（７）
ただし、
ν２    ：第２レンズのｄ線に対するν値
ν５    ：第５レンズのｄ線に対するν値
δθ２  ：第２レンズの異常分散性
δθ５  ：第５レンズの異常分散性
Ｒ５    ：第３レンズの像側の面の曲率半径
Ｒ１    ：第１レンズの物体側の面の曲率半径
Ｒ３    ：第２レンズの物体側の面の曲率半径
Ｒ６    ：第４レンズの物体側の面の曲率半径
Ｒ８    ：第５レンズの像側の面の曲率半径
Ｒ１０  ：第６レンズの像側の面の曲率半径
Ｄ５    ：第３レンズと第４レンズの空気間隔
ｆ      ：レンズ全系の焦点距離
φｉ    ：第ｉレンズの屈折力（ただしｉ＝１〜６）
δθｉ  ：第ｉレンズの異常分散性（ただしｉ＝１〜６）
【請求項２】
前記第３レンズおよび前記第４レンズのうち少なくとも１枚が、以下の条件式（８）および（９）を満足するように構成されていることを特徴とする請求項１記載のカラー画像読み取り用ガウス型レンズ。
３５＜νＮ＜５０                                  ………（８）
δθＮ＜−０．００４                              ………（９）
ただし、Ｎを前記第３レンズおよび前記第４レンズのうち条件式（８）および（９）を満足するレンズの番号としたとき、
νＮ    ：第Ｎレンズのｄ線に対するν値
δθＮ  ：第Ｎレンズの異常分散性
【請求項３】
前記第１レンズおよび前記第６レンズのうち少なくとも１枚が、以下の条件式（１０）を満足するように構成されていることを特徴とする請求項１または２記載のカラー画像読み取り用ガウス型レンズ。
δθＰ＞−０．００２                              ………（１０）
ただし、Ｐを前記第１レンズおよび前記第６レンズのうち条件式（１０）を満足するレンズの番号としたとき、
δθＰ  ：第Ｐレンズの異常分散性
【発明の詳細な説明】
【０００１】
【発明の属する技術分野】
本発明は、カラー画像やカラー原稿読み取り用のガウス型レンズに関し、特にネガフィルム、ポジフィルムの画像を倍率−１／２．５Ｘ〜−１／１．２５Ｘの低倍率の範囲で読み込むために有用な、カラー原稿読み取り用ガウス型レンズに関するものである。
【０００２】
【従来の技術】
近年、ミニラボあるいはデジタルラボと称される現像機が普及している。これは、フィルムから紙に直接焼き付けるのではなく、レンズを利用してフィルム画像を縮小し一度ＣＣＤのような固体撮像素子上に画像を取り込んでいろいろな処理をできるようにしてから、レーザー等を利用して紙に印刷するようにしたものである。このような現像機において、固体撮像素子上に結像させるための画像読み取り光学系は、受光素子が高密度化されているために、高解像を有するものが求められている。
【０００３】
また、カラー原稿を読み取る場合には広い波長域で良好な画像を得ることが必要であり、青、緑、赤の３波長帯で倍率や解像度といった性能が同程度に高く保たれていることが望ましい。具体的には、各色とも色収差を小さくし、中心から周辺までの結像点を高コントラストでそろえるように補正されていることが必要となる。
【０００４】
色収差を補正するためには、一般にレンズ硝材に異常分散性を有するものが用いられている。
なお、色収差の補正を試みたガウス型レンズとしてはこれまでに特開昭５７−１０８８１７号公報、特開昭６２−９４８１０号公報、特開平２−１２４５０７号公報、特開平４−１６３５０８号公報、特開平４−３１１９１２号公報に記載されたものが知られている。
【０００５】
【発明が解決しようとする課題】
しかしながら、上記公報記載のレンズは、いずれも軸上色収差補正量の絶対値が不足していたり、使用倍率が−１／１０Ｘ〜−１／５Ｘと比較的高い倍率で使用されるに適するレンズであり、低倍率での使用においては高い性能を満足することができないという問題がある。
この問題は、軸上色収差の発生量（ΔＳ）が、レンズの焦点距離ｆと結像倍率β（β＜０）とに関しΔＳ＝γ（１−β）2・ｆ（ただし、γは定数）の関係があり、焦点距離ｆが長くなるか、または結像倍率βの絶対値｜β｜が大きくなるほどその発生量が大きくなることに起因する。
【０００６】
本発明は、このような事情に鑑みなされたものであり、カラー画像やカラー原稿の読み取りや、特にネガフィルムやポジフィルムの読み取り用の、使用倍率が−１／２．５Ｘ〜−１／１．２５Ｘという低倍率で使われるレンズにおいて、特に軸上色収差を効果的に補正し、広い波長域で高い性能を発揮し得るカラー画像読み取り用ガウス型レンズを提供することを目的とするものである。
【０００７】
【課題を解決するための手段】
本発明に係るカラー画像読み取り用ガウス型レンズは、物体側より、凸レンズからなる第１レンズおよび第２レンズ、凹レンズからなる第３レンズおよび第４レンズ、凸レンズからなる第５レンズおよび第６レンズがこの順に配列されてなり、該第３レンズと該第４レンズの間に絞りを配された、６枚のレンズから構成されるガウス型レンズにおいて、以下の条件式（１）〜（７）を満足するように構成されていることを特徴とするものである。
【０００８】
６５＜ν２，ν５                                    ………（１）
δθ２，δθ５＞０．００４                          ………（２）
１．５・Ｒ５＜（Ｒ１＋Ｒ３）／２＜２．６・Ｒ５      ………（３）
１．５・Ｒ６＜（Ｒ８＋Ｒ１０）／２＜３．０・Ｒ６    ………（４）
０．１０＜Ｄ５／ｆ＜０．２３                        ………（５）
０．８２＜Ｒ５／｜Ｒ６｜＜１．３                    ………（６）
０．００１２(mm-1)＜Σ（φｉ・δθｉ）＜０．００４５(mm-1)    ………（７）
ただし、
ν２    ：第２レンズのｄ線に対するν値
ν５    ：第５レンズのｄ線に対するν値
δθ２  ：第２レンズの異常分散性
δθ５  ：第５レンズの異常分散性
Ｒ５    ：第３レンズの像側の面の曲率半径
Ｒ１    ：第１レンズの物体側の面の曲率半径
Ｒ３    ：第２レンズの物体側の面の曲率半径
Ｒ６    ：第４レンズの物体側の面の曲率半径
Ｒ８    ：第５レンズの像側の面の曲率半径
Ｒ１０  ：第６レンズの像側の面の曲率半径
Ｄ５    ：第３レンズと第４レンズの空気間隔
ｆ      ：レンズ全系の焦点距離
φｉ    ：第ｉレンズの屈折力（ただしｉ＝１〜６）
δθｉ  ：第ｉレンズの異常分散性（ただしｉ＝１〜６）
【０００９】
また、前記第３レンズおよび前記第４レンズのうち少なくとも１枚が、以下の条件式（８）および（９）を満足するように構成されていることが望ましい。
３５＜νN＜５０                                  ………（８）
δθN＜−０．００４                              ………（９）
ただし、Ｎを前記第３レンズおよび前記第４レンズのうち条件式（８）および（９）を満足するレンズの番号としたとき、
νN   ：第Ｎレンズのｄ線に対するν値
δθN ：第Ｎレンズの異常分散性
【００１０】
さらに、前記第１レンズおよび前記第６レンズのうち少なくとも１枚が、以下の条件式（１０）を満足するように構成されていることがより望ましい。
δθＰ＞−０．００２                              ………（１０）
ただし、Ｐを前記第１レンズおよび前記第６レンズのうち条件式（１０）を満足するレンズの番号としたとき、
δθＰ  ：第Ｐレンズの異常分散性
【００１３】
【発明の実施の形態】
以下、本発明の実施形態を図面を用いて説明する。
図１は本発明の代表的実施例である実施例５に係るカラー画像読み取り用ガウス型レンズの構成を示す図である。レンズ構成は物体側より順に、凸レンズからなる第１レンズＬ1および第２レンズＬ2、凹レンズからなる第３レンズＬ3および第４レンズＬ4、凸レンズからなる第５レンズＬ5および第６レンズＬ6がこの順に配列されている。第２レンズＬ2と第３レンズＬ3は凸凹の接合レンズとされ、また第４レンズＬ4と第５レンズＬ5は凹凸の接合レンズとされており、絞り１が第３レンズＬ3と第４レンズＬ4との間に配されている。絞り１の開口部を通った外部からの光は第５レンズＬ5と第６レンズＬ6の凸レンズにより収束されて、固体撮像素子（ＣＣＤ）の撮像面２上で結像する。
【００１４】
以下、具体的なデータを用いて本発明の実施例を説明する。
〈実施例１〉
本発明の実施例１のカラー画像読み取り用ガウス型レンズは、物体側から順に、物体側に凸面を向けた凸メニスカスレンズからなる第１レンズＬ1、物体側に曲率の大きい面を向けた両凸レンズからなる第２レンズＬ2、像側に曲率の大きい面を向けた両凹レンズからなる第３レンズＬ3、物体側に曲率の大きい面を向けた両凹レンズからなる第４レンズＬ4、像側に曲率の大きい面を向けた両凸レンズからなる第５レンズＬ5、像側に曲率の大きい面を向けた両凸レンズからなる第６レンズＬ6で構成されている。
本実施例のレンズは、以下の条件式（１）〜（７）を満足するように構成されている。
【００１５】
６５＜ν２，ν５                                    ………（１）
δθ２，δθ５＞０．００４                          ………（２）
１．５・Ｒ５＜（Ｒ１＋Ｒ３）／２＜２．６・Ｒ５      ………（３）
１．５・Ｒ６＜（Ｒ８＋Ｒ１０）／２＜３．０・Ｒ６    ………（４）
０．１０＜Ｄ５／ｆ＜０．２３                        ………（５）
０．８２＜Ｒ５／｜Ｒ６｜＜１．３                    ………（６）
０．００１２(mm-1)＜Σ（φｉ・δθｉ）＜０．００４５(mm-1)    ………（７）
ただし、
ν２    ：第２レンズＬ２のｄ線に対するν値
ν５    ：第５レンズＬ５のｄ線に対するν値
δθ２  ：第２レンズＬ２の異常分散性
δθ５  ：第５レンズＬ５の異常分散性
Ｒ５    ：第３レンズＬ３の像側の面の曲率半径
Ｒ１    ：第１レンズＬ１の物体側の面の曲率半径
Ｒ３    ：第２レンズＬ２の物体側の面の曲率半径
Ｒ６    ：第４レンズＬ４の物体側の面の曲率半径
Ｒ８    ：第５レンズＬ５の像側の面の曲率半径
Ｒ１０  ：第６レンズＬ６の像側の面の曲率半径
Ｄ５    ：第３レンズＬ３と第４レンズＬ４の空気間隔
ｆ      ：レンズ全系の焦点距離
φｉ    ：第ｉレンズの屈折力（ただしｉ＝１〜６）
δθｉ  ：第ｉレンズの異常分散性（ただしｉ＝１〜６）
【００１６】
各条件式（１）〜（７）を満足するように構成することが望ましいのは、以下の理由によるものである。
条件式（１）、（２）は色収差に関する規定で、特に軸上色収差を補正するための条件である。条件式（１）は第２レンズＬ2および第５レンズＬ5の凸レンズの硝材にν値の下限を規定して、分散が大きくなりすぎないようにしている。
条件式（２）は、第２レンズＬ2および第５レンズＬ5の異常分散性を規定し、条件式（１）の条件下で満足することにより、効果的な軸上色収差の補正が可能となる。この下限値を下回った場合は、必要とされるに十分な軸上色収差の補正ができなくなる。
【００１７】
条件式（３）、（４）は、ペッツバール和を小さくし像面湾曲を補正するための条件である。凹面の曲率半径が小さいほど像面湾曲を補正しやすい反面、その値が小さすぎるとコマフレアが発生してしまうことはガウス型レンズで問題となりがちであるが、両条件式により、凹面（Ｒ5、Ｒ6）で発生する発散性の球面収差、コマ収差を、各凸面（Ｒ1、Ｒ3、Ｒ8、Ｒ10）でバランスよく補正することができる。両条件式において、この上限値を上回った場合は、ペッツバール和が小さくなり過ぎ、サジタル像面の像面湾曲が増大し、コマフレアが発生したり、球面収差のバランスが悪くなったりする。この下限値を下回った場合には、ペッツバール和が大きくなり、非点格差が生じたり、球面収差が補正過剰となったりする。
【００１８】
条件式（５）は第３レンズＬ3と第４レンズＬ4の間の空気間隔を適切な間隔にして、像面湾曲やコマフレアの発生、および非点格差の増大を防ぐための規定である。この上限値を上回ると、ペッツバール和が大きくなり、非点格差が大きくなる。この下限値を下回ると、ペッツバール和が小さくなりすぎ、サジタル像面の湾曲が大きくなり、コマ収差の補正が困難となる。
条件式（５）によって規定されている第３レンズＬ3と第４レンズＬ4の間の空気間隔は比較的小さいために、この条件を設定することによって収差補正を行うと同時にレンズのコンパクト化にも貢献することが可能となる。
条件式（６）は第３レンズＬ3と第４レンズＬ4の各凹レンズの互いに向き合う凹面の曲率半径に関する規定であり、この条件を満足することにより両凹面の発散性が平均化し、特に、不均衡なコマ収差の防止に効果を有する。
【００１９】
条件式（７）は軸上色収差の補正と収差バランスに関する規定である。前述したように、軸上色収差を良好に補正するためには一般に異常分散性をもつ硝材を用いるが、特に倍率が−１／２．５〜−１／１．２５程度の低倍率で使用するレンズにおいて、少ないレンズ枚数で補正効果を得るためには、このような硝材が必須といってよい。そして、その硝材の異常分散性が大きいほど色収差補正効果は高く、その硝材を用いたレンズの屈折力が強くなるほど補正力が強くなる。ところがレンズの屈折力と異常分散性のうち一方だけが、例えば硝材の屈折力が強すぎると高次収差の発生という弊害もあるため、レンズ系としては各レンズの屈折力と異常分散性をバランスよく大きくし、諸収差を良好に補正することが望まれる。
【００２０】
条件式（７）は、屈折力と異常分散性をバランスよく大きくし、諸収差を良好に補正するために、各レンズの屈折力φiと異常分散性δθiの積の和、Σ（φi・δθi）の値が所定値より大きくなるように規定している。この上限値を上回ると各レンズの屈折力が強くなり、球面収差やコマ収差の高次収差が増加し、レンズ全体としての性能が劣化する。この下限値を下回ると軸上色収差補正の効果が弱くなり、低倍率で使用するのに十分な補正が得られない。
【００２１】
ところで、上述したような、軸上色収差を補正するために異常分散性とともに必要となる強い屈折力は、本実施例において次のように得られることになる。すなわち、条件式（５）において諸収差の補正のために第３レンズＬ3と第４レンズＬ4の間隔を所定の範囲内に規定しているが、この間隔は比較的狭いものであるために、レンズ系として必要な負のパワーを確保するためには第３レンズＬ3と第４レンズＬ4の各凹レンズの互いに向き合う凹面の曲率を大きくする必要が生じている。このようにして、条件式（５）において諸収差補正のために規定した２枚の凹レンズの間隔が、その凹面の屈折力を強くすることを求めるので、それによって得られる強い屈折力と、この強い屈折力を有する凹レンズと収支バランスを取るために得られる凸レンズの強い屈折力を、硝材の異常分散性とともに利用して低倍率域における軸上色収差の除去を達成している。
【００２２】
表１に、本実施例の各レンズ面の曲率半径Ｒ、各レンズの軸上面間隔（各レンズの中心厚および各レンズ間の空気間隔）Ｄ、各レンズのｄ線における屈折率ｎd、アッベ数νdおよび各レンズのｇ線およびｄ線における部分分散θg,dを示す。なお、表１および以下の他の表において、各記号に対応させた数字は物体側から順次増加するようになっている。また、表１の下段にはレンズ系全体の焦点距離を示す。
【００２３】
【表１】
0003821929.tif 000002
【００２４】
表８に、本実施例および以下の実施例に係るカラー画像読み取り用ガウス型レンズの、各条件式に対する値を示す。
【００２５】
【表８】
0003821929.tif 000003
【００２６】
表８により、実施例１は条件式（１）〜（７）を満足しているカラー画像読み取り用ガウス型レンズであることが明らかである。
本実施例の倍率−１／２．５Ｘにおける諸収差（球面収差、非点収差、ディストーションおよび倍率色収差）を図２に、倍率−１／１．２５Ｘにおける諸収差（球面収差、非点収差、ディストーションおよび倍率色収差）を図３に、倍率−１／２．５Ｘにおけるコマ収差を図４に、倍率−１／１．２５Ｘにおけるコマ収差を図５に示す。これらの図から明らかなように、本実施例によれば、軸上色収差を効果的に補正し、広い波長域で高い性能を有したカラー画像読み取り用ガウス型レンズを得ることができる。
【００２７】
〈実施例２〉
本発明の実施例２のカラー画像読み取り用ガウス型レンズは、その構成については実施例１のカラー画像読み取り用ガウス型レンズと同様であるので説明は省略する。
本実施例のレンズは、上記の条件式（１）〜（７）に加え、第３レンズＬ3および第４レンズＬ4のうち少なくとも１枚が以下の条件式（８）および（９）を満足するように構成されている。
【００２８】
３５＜νN＜５０                                  ………（８）
δθN＜−０．００４                              ………（９）
ただし、Ｎを第３レンズＬ3および第４レンズＬ4のうち条件式（８）および（９）を満足するレンズの番号としたとき、
νN   ：第Ｎレンズのｄ線に対するν値
δθN ：第Ｎレンズの異常分散性
【００２９】
条件式（８）、（９）は、第２レンズＬ2および第５レンズＬ5が条件式（１）、（２）により色収差と諸収差をバランスよく補正するために適切なパワーを有するように規定されたことをうけ、さらに残存する軸上色収差を除去するための条件である。この条件式（８）、（９）に規定されるような異常分散性を有する硝材を第３レンズＬ3および第４レンズＬ4のうち少なくとも１枚の凹レンズに用いることにより、条件式（１）〜（７）に基づくレンズ系に残存している色収差をさらに補正することができる。第２レンズＬ2および第５レンズＬ5の凸レンズに異常分散性を有する硝材を用いることに加え、第３レンズＬ3または第４レンズＬ4の凹レンズの少なくとも一方に異常分散性を有する硝材を用いることで、より効果的に色収差を補正することが可能になる。
【００３０】
表２に、本実施例の各レンズ面の曲率半径Ｒ、各レンズの軸上面間隔（各レンズの中心厚および各レンズ間の空気間隔）Ｄ、各レンズのｄ線における屈折率ｎd、アッベ数νdおよび各レンズのｇ線およびｄ線に関する部分分散θg,dを示す。表２の下段にはレンズ系全体の焦点距離を示す。
【００３１】
【表２】
0003821929.tif 000004
【００３２】
表８により、実施例２は条件式（１）〜（９）を満足しているカラー画像読み取り用ガウス型レンズであることが明らかである。
本実施例の倍率−１／２．５Ｘにおける諸収差（球面収差、非点収差、ディストーションおよび倍率色収差）を図６に、倍率−１／１．２５Ｘにおける諸収差（球面収差、非点収差、ディストーションおよび倍率色収差）を図７に、倍率−１／２．５Ｘにおけるコマ収差を図８に、倍率−１／１．２５Ｘにおけるコマ収差を図９に示す。これらの図から明らかなように、本実施例によれば、軸上色収差を効果的に補正し、広い波長域で高い性能を有したカラー画像読み取り用ガウス型レンズを得ることができる。
【００３３】
〈実施例３〉
本発明の実施例３のカラー画像読み取り用ガウス型レンズは、その構成については実施例２のカラー画像読み取り用ガウス型レンズとほぼ同様であるが、第６レンズＬ6が像側に凸面を向けた凸メニスカスレンズである点が異なっている。
本実施例のレンズは、上記の条件式（１）〜（９）に加え、第１レンズＬ1および第６レンズＬ6のうち少なくとも１枚が以下の条件式（１０）を満足し、さらに第３レンズＬ3および第４レンズＬ4が以下の条件式（１１）および（１２）を満足し、また第１レンズＬ1、第２レンズＬ2、第５レンズＬ5、第６レンズＬ6のうちの１枚以上のレンズが、以下の条件式（１３）を満足するように構成されている。
【００３４】
δθＰ＞−０．００２                                ………（１０）
３５＜ν３，ν４＜５０                              ………（１１）
δθ３，δθ４＜−０．０１                          ………（１２）
δθＭ＞０．０                                      ………（１３）
ただし、Ｐを第１レンズＬ１および第６レンズＬ６のうち条件式（１０）を満足するレンズの番号としたとき、
δθＰ  ：第Ｐレンズの異常分散性
ν３    ：第３レンズＬ３のｄ線に対するν値
ν４    ：第４レンズＬ４のｄ線に対するν値
δθ３  ：第３レンズＬ３の異常分散性
δθ４  ：第４レンズのＬ４異常分散性
また、Ｍを第１レンズＬ１、第２レンズＬ２、第５レンズＬ５および第６レンズＬ６のうち条件式（１３）を満足するレンズの番号として、
δθＭ  ：第Ｍレンズの異常分散性
【００３５】
条件式（１０）は第１レンズＬ1および第６レンズＬ6の凸レンズのうち少なくとも１枚について部分分散の下限を規定し、条件式（１）から（９）を満足するようなレンズにおいて軸上色収差の補正を補助し諸収差のバランスをとる条件となっている。この条件式（１０）を満足することにより、第２レンズＬ2および第５レンズＬ5がパワーを増して色収差を補正している負担を軽減でき、第２レンズＬ2および第５レンズＬ5のパワーが強くなることによって起こる球面収差の補正過剰、コマフレアの発生、ペッツバール和が大きくなることによる像面湾曲などを軽減でき、より望ましい補正効果を得ることができる。
【００３６】
条件式（１１）、（１２）は色収差に関する規定で、特に軸上色収差を補正するための条件である。条件式（１１）は第３レンズＬ３および第４レンズＬ４の凹レンズの硝材にν値の下限および上限を規定して、分散が大きくなりすぎないようにしている。
条件式（１２）は、第３レンズＬ３および第４レンズＬ４の異常分散性を規定し、条件式（１１）の条件下で満足することにより、効果的な軸上色収差の補正が可能となる。
条件式（１３）は、４枚の凸レンズのうち少なくとも１枚の凸レンズに異常分散性を有する硝材を用いることにより、条件式（１１）および（１２）の条件下においても残存した軸上色収差をさらに除去するための条件で、条件式（３）〜（７）および条件式（１１）〜（１３）をすべて満足することにより、必要とされるに十分な軸上色収差の補正を良好に行うことができる。
【００３７】
なお、条件式（１１）、（１２）は条件式（１）、（２）に代えて、第２レンズＬ2と第５レンズＬ5の凸レンズのν値と異常分散性の代わりに、第３レンズＬ3と第４レンズＬ4の凹レンズのν値と異常分散性を規定している。条件式（１３）に示すようにこの場合、前者に比べν値と異常分散性を規定していない残りのレンズ（第１レンズＬ1、第２レンズＬ2、第５レンズＬ5および第６レンズＬ6）の異常分散性がそれほど大きくなくても、望ましい軸上色収差補正が可能となっている。
表３に、本実施例の各レンズ面の曲率半径Ｒ、各レンズの軸上面間隔（各レンズの中心厚および各レンズ間の空気間隔）Ｄ、各レンズのｄ線における屈折率ｎd、アッベ数νdおよび各レンズのｇ線およびｄ線に関する部分分散θg,dを示す。表３の下段にはレンズ系全体の焦点距離を示す。
【００３８】
【表３】
0003821929.tif 000005
【００３９】
表８により、実施例３は条件式（１）〜（１３）を満足しているカラー画像読み取り用ガウス型レンズであることが明らかである。
本実施例の倍率−１／２．５Ｘにおける諸収差（球面収差、非点収差、ディストーションおよび倍率色収差）を図１０に、倍率−１／１．２５Ｘにおける諸収差（球面収差、非点収差、ディストーションおよび倍率色収差）を図１１に、倍率−１／２．５Ｘにおけるコマ収差を図１２に、倍率−１／１．２５Ｘにおけるコマ収差を図１３に示す。これらの図から明らかなように、本実施例によれば、軸上色収差を効果的に補正し、広い波長域で高い性能を有したカラー画像読み取り用ガウス型レンズを得ることができる。
【００４０】
〈実施例４〉
本発明の実施例４のカラー画像読み取り用ガウス型レンズは、物体側から順に、物体側に曲率の大きい面を向けた両凸レンズからなる第１レンズＬ1、物体側に凸面を向けた凸メニスカスレンズからなる第２レンズＬ2、物体側に凸面を向けた凹メニスカスレンズからなる第３レンズＬ3、像側に凸面を向けた凹メニスカスレンズレンズからなる第４レンズＬ4、像側に凸面を向けた凸メニスカスレンズからなる第５レンズＬ5、像側に曲率の大きい面を向けた両凸レンズからなる第６レンズＬ6で構成されている。
本実施例のレンズが満足する条件式は、実施例３と同様である。
【００４１】
表４に、本実施例の各レンズ面の曲率半径Ｒ、各レンズの軸上面間隔（各レンズの中心厚および各レンズ間の空気間隔）Ｄ、各レンズのｄ線における屈折率ｎd、アッベ数νdおよび各レンズのｇ線およびｄ線に関する部分分散θg,dを示す。表４の下段にはレンズ系全体の焦点距離を示す。
【００４２】
【表４】
0003821929.tif 000006
【００４３】
表８により、実施例４は条件式（１）〜（１３）を満足しているカラー画像読み取り用ガウス型レンズであることが明らかである。
本実施例の倍率−１／２．５Ｘにおける諸収差（球面収差、非点収差、ディストーションおよび倍率色収差）を図１４に、倍率−１／１．２５Ｘにおける諸収差（球面収差、非点収差、ディストーションおよび倍率色収差）を図１５に、倍率−１／２．５Ｘにおけるコマ収差を図１６に、倍率−１／１．２５Ｘにおけるコマ収差を図１７に示す。これらの図から明らかなように、本実施例によれば、軸上色収差を効果的に補正し、広い波長域で高い性能を有したカラー画像読み取り用ガウス型レンズを得ることができる。
【００４４】
〈実施例５〉
本発明の実施例５のカラー画像読み取り用ガウス型レンズは、その構成については実施例２のカラー画像読み取り用ガウス型レンズと同様である。
ただし、本実施例５の第６レンズＬ6は平凸レンズとなっている。
また、本実施例のレンズが満足する条件式は、実施例３と同様である。
表５に、本実施例の各レンズ面の曲率半径Ｒ、各レンズの軸上面間隔（各レンズの中心厚および各レンズ間の空気間隔）Ｄ、各レンズのｄ線における屈折率ｎd、アッベ数νdおよび各レンズのｇ線およびｄ線に関する部分分散θg,dを示す。表５の下段にはレンズ系全体の焦点距離を示す。
【００４５】
【表５】
0003821929.tif 000007
【００４６】
表８により、実施例５は条件式（１）〜（１３）を満足しているカラー画像読み取り用ガウス型レンズであることが明らかである。
本実施例の倍率−１／２．５Ｘにおける諸収差（球面収差、非点収差、ディストーションおよび倍率色収差）を図１８に、倍率−１／１．２５Ｘにおける諸収差（球面収差、非点収差、ディストーションおよび倍率色収差）を図１９に、倍率−１／２．５Ｘにおけるコマ収差を図２０に、倍率−１／１．２５Ｘにおけるコマ収差を図２１に示す。これらの図から明らかなように、本実施例によれば、軸上色収差を効果的に補正し、広い波長域で高い性能を有したカラー画像読み取り用ガウス型レンズを得ることができる。
【００４７】
〈実施例６〉
本発明の実施例６のカラー画像読み取り用ガウス型レンズは、物体側から順に、物体側に曲率の大きい面を向けた両凸レンズからなる第１レンズＬ1、物体側に曲率の大きい面を向けた両凸レンズからなる第２レンズＬ2、像側に曲率の大きい面を向けた両凹レンズからなる第３レンズＬ3、像側に凸面を向けた凹メニスカスレンズレンズからなる第４レンズＬ4、像側に凸面を向けた凸メニスカスレンズからなる第５レンズＬ5、像側に凸面を向けた凸メニスカスレンズからなる第６レンズＬ6で構成されている。
本実施例のレンズが満足する条件式は、実施例３と同様である。
【００４８】
表６に、本実施例の各レンズ面の曲率半径Ｒ、各レンズの軸上面間隔（各レンズの中心厚および各レンズ間の空気間隔）Ｄ、各レンズのｄ線における屈折率ｎd、アッベ数νdおよび各レンズのｇ線およびｄ線に関する部分分散θg,dを示す。表６の下段にはレンズ系全体の焦点距離を示す。
【００４９】
【表６】
0003821929.tif 000008
【００５０】
表８により、実施例６は条件式（１）〜（１３）を満足しているカラー画像読み取り用ガウス型レンズであることが明らかである。
本実施例の倍率−１／２．５Ｘにおける諸収差（球面収差、非点収差、ディストーションおよび倍率色収差）を図２２に、倍率−１／１．２５Ｘにおける諸収差（球面収差、非点収差、ディストーションおよび倍率色収差）を図２３に、倍率−１／２．５Ｘにおけるコマ収差を図２４に、倍率−１／１．２５Ｘにおけるコマ収差を図２５に示す。これらの図から明らかなように、本実施例によれば、軸上色収差を効果的に補正し、広い波長域で高い性能を有したカラー画像読み取り用ガウス型レンズを得ることができる。
【００５４】
【発明の効果】
以上説明したように、本発明に係るカラー画像読み取り用ガウス型レンズによれば、カラー画像、カラー原稿の読み取り、あるいはネガフィルムやポジフィルムの読み取り用の、使用倍率が−１／２．５Ｘ〜−１／１．２５Ｘという低倍率で使われるレンズにおいて、異常分散性を有する硝材を適切に配置すること、および第３レンズと第４レンズの間に適切な空気間隔をとることにより屈折力の大きいレンズを用いるようにしたことで、特に軸上色収差を効果的に補正し、広い波長域で高い性能を有することが可能となる。
【図面の簡単な説明】
【図１】  代表的実施例に係るカラー画像読み取り用ガウス型レンズの構成を示す図
【図２】  実施例１に係るカラー画像読み取り用ガウス型レンズの倍率−１／２．５Ｘにおける諸収差（球面収差、非点収差、ディストーションおよび倍率色収差）図
【図３】  実施例１に係るカラー画像読み取り用ガウス型レンズの倍率−１／１．２５Ｘにおける諸収差（球面収差、非点収差、ディストーションおよび倍率色収差）図
【図４】  実施例１に係るカラー画像読み取り用ガウス型レンズの倍率−１／２．５Ｘにおけるコマ収差図
【図５】  実施例１に係るカラー画像読み取り用ガウス型レンズの倍率−１／１．２５Ｘにおけるコマ収差図
【図６】  実施例２に係るカラー画像読み取り用ガウス型レンズの倍率−１／２．５Ｘにおける諸収差（球面収差、非点収差、ディストーションおよび倍率色収差）図
【図７】  実施例２に係るカラー画像読み取り用ガウス型レンズの倍率−１／１．２５Ｘにおける諸収差（球面収差、非点収差、ディストーションおよび倍率色収差）図
【図８】  実施例２に係るカラー画像読み取り用ガウス型レンズの倍率−１／２．５Ｘにおけるコマ収差図
【図９】  実施例２に係るカラー画像読み取り用ガウス型レンズの倍率−１／１．２５Ｘにおけるコマ収差図
【図１０】  実施例３に係るカラー画像読み取り用ガウス型レンズの倍率−１／２．５Ｘにおける諸収差（球面収差、非点収差、ディストーションおよび倍率色収差）図
【図１１】  実施例３に係るカラー画像読み取り用ガウス型レンズの倍率−１／１．２５Ｘにおける諸収差（球面収差、非点収差、ディストーションおよび倍率色収差）図
【図１２】  実施例３に係るカラー画像読み取り用ガウス型レンズの倍率−１／２．５Ｘにおけるコマ収差図
【図１３】  実施例３に係るカラー画像読み取り用ガウス型レンズの倍率−１／１．２５Ｘにおけるコマ収差図
【図１４】  実施例４に係るカラー画像読み取り用ガウス型レンズの倍率−１／２．５Ｘにおける諸収差（球面収差、非点収差、ディストーションおよび倍率色収差）図
【図１５】  実施例４に係るカラー画像読み取り用ガウス型レンズの倍率−１／１．２５Ｘにおける諸収差（球面収差、非点収差、ディストーションおよび倍率色収差）図
【図１６】  実施例４に係るカラー画像読み取り用ガウス型レンズの倍率−１／２．５Ｘにおけるコマ収差図
【図１７】  実施例４に係るカラー画像読み取り用ガウス型レンズの倍率−１／１．２５Ｘにおけるコマ収差図
【図１８】  実施例５に係るカラー画像読み取り用ガウス型レンズの倍率−１／２．５Ｘにおける諸収差（球面収差、非点収差、ディストーションおよび倍率色収差）図
【図１９】  実施例５に係るカラー画像読み取り用ガウス型レンズの倍率−１／１．２５Ｘにおける諸収差（球面収差、非点収差、ディストーションおよび倍率色収差）図
【図２０】  実施例５に係るカラー画像読み取り用ガウス型レンズの倍率−１／２．５Ｘにおけるコマ収差図
【図２１】  実施例５に係るカラー画像読み取り用ガウス型レンズの倍率−１／１．２５Ｘにおけるコマ収差図
【図２２】  実施例６に係るカラー画像読み取り用ガウス型レンズの倍率−１／２．５Ｘにおける諸収差（球面収差、非点収差、ディストーションおよび倍率色収差）図
【図２３】  実施例６に係るカラー画像読み取り用ガウス型レンズの倍率−１／１．２５Ｘにおける諸収差（球面収差、非点収差、ディストーションおよび倍率色収差）図
【図２４】  実施例６に係るカラー画像読み取り用ガウス型レンズの倍率−１／２．５Ｘにおけるコマ収差図
【図２５】  実施例６に係るカラー画像読み取り用ガウス型レンズの倍率−１／１．２５Ｘにおけるコマ収差図
【図１】
0003821929.tif 000009
【図２】
0003821929.tif 000010
【図３】
0003821929.tif 000011
【図４】
0003821929.tif 000012
【図５】
0003821929.tif 000013
【図６】
0003821929.tif 000014
【図７】
0003821929.tif 000015
【図８】
0003821929.tif 000016
【図９】
0003821929.tif 000017
【図１０】
0003821929.tif 000018
【図１１】
0003821929.tif 000019
【図１２】
0003821929.tif 000020
【図１３】
0003821929.tif 000021
【図１４】
0003821929.tif 000022
【図１５】
0003821929.tif 000023
【図１６】
0003821929.tif 000024
【図１７】
0003821929.tif 000025
【図１８】
0003821929.tif 000026
【図１９】
0003821929.tif 000027
【図２０】
0003821929.tif 000028
【図２１】
0003821929.tif 000029
【図２２】
0003821929.tif 000030
【図２３】
0003821929.tif 000031
【図２４】
0003821929.tif 000032
【図２５】
0003821929.tif 000033